(57)【要約】【課題】ユーザが店舗で商品を入手する際に支払う金額を低減させること。【解決手段】情報処理装置は、第１ユーザが店舗で入手する商品の第１代金の少なくとも一部であって、前記店舗の事業者に支払われた立て替え額を、前記第１ユーザに関連付けて記憶する処理と、前記第１ユーザが前記商品を入手してから所定の期限が経過した場合、前記立て替え額の少なくとも一部を前記第１ユーザから徴収する処理と、を実行する。【選択図】図４
2020087170.tif 000002
【特許請求の範囲】
【請求項１】
情報処理装置が、
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、を実行する情報処理方法。
【請求項２】
前記徴収する処理は、
前記商品が前記所定の期限内に取引サービスで販売された金額である第２代金から前記立て替え額の少なくとも一部を徴収する、請求項１に記載の情報処理方法。
【請求項３】
前記第１ユーザにより前記商品が前記所定の期限内に前記取引サービスで出品される場合に指定された前記商品の販売利益が前記立て替え額以上でない場合、指定された前記商品の価格による販売利益が前記立て替え額以上でない旨を示すメッセージを前記第１ユーザに対応付けられた第１情報処理端末に送信する処理を実行する、請求項２に記載の情報処理方法。
【請求項４】
前記徴収する処理は、
前記第１ユーザにより前記商品が前記所定の期限内に前記取引サービスで出品または販売されない場合、所定の手数料を徴収する、請求項２または３に記載の情報処理方法。
【請求項５】
前記徴収する処理は、
前記第２代金から前記立て替え額の少なくとも一部である残額を徴収できない場合、前記第２代金以外から前記残額を徴収する、請求項２から４のいずれか一項に記載の情報処理方法。
【請求項６】
前記徴収する処理は、
前記第１ユーザの銀行口座の預金残高、前記取引サービスにおける前記第１ユーザの残高、及び後払いサービスにおける前記第１ユーザの残高の少なくとも一つから前記残額を徴収する、請求項５に記載の情報処理方法。
【請求項７】
前記徴収する処理は、
所定の優先度に基づいて、前記第１ユーザの銀行口座の預金残高、前記取引サービスにおける前記第１ユーザの残高、または、前記後払いサービスにおける前記第１ユーザの残高から前記残額を徴収する、請求項６に記載の情報処理方法。
【請求項８】
前記徴収する処理は、
前記第１ユーザの銀行口座の預金残高、前記取引サービスにおける前記第１ユーザの残高、及び前記後払いサービスにおける前記第１ユーザの残高のうち、優先度が最も高い第１残高が前記残額未満の場合、前記第１残高の全額を徴収し、優先度が次に高い第２残高から、前記残額と前記第１残高から徴収した額の差額を徴収する、請求項７に記載の情報処理方法。
【請求項９】
前記第１ユーザの信用度に基づいて前記立て替え額を決定する処理を実行する、請求項１から８のいずれか一項に記載の情報処理方法。
【請求項１０】
第１ユーザが店舗で購入する商品の第１代金の少なくとも一部であって、前記店舗の事業者に支払われた立て替え額を、前記第１ユーザに関連付けて記憶部に記憶させる処理と、
前記第１ユーザが前記商品を購入してから所定の期限が経過した場合、前記立て替え額の少なくとも一部を前記第１ユーザから徴収する処理と、を実行する制御部を有する、情報処理装置。
【請求項１１】
情報処理装置に、
第１ユーザが店舗で購入する商品の第１代金の少なくとも一部であって、前記店舗の事業者に支払われた立て替え額を、前記第１ユーザに関連付けて記憶する処理と、
前記第１ユーザが前記商品を購入してから所定の期限が経過した場合、前記立て替え額の少なくとも一部を前記第１ユーザから徴収する処理と、を実行させるプログラム。
【発明の詳細な説明】
【技術分野】
【０００１】
本開示は、情報処理方法、情報処理装置、及びプログラムに関する。
【背景技術】
【０００２】
従来、フリーマーケットサービス、ネットオークションサービス、及び即時買取（質屋）サービス等の取引サービスを提供する技術が知られている（例えば、特許文献１を参照）。
【先行技術文献】
【特許文献】
【０００３】
【特許文献１】特開２０１８−１４７２９８号公報
【発明の概要】
【発明が解決しようとする課題】
【０００４】
しかしながら、従来技術では、例えば、ユーザが店舗で商品を入手する場合、入手時に支払う金額が比較的高額である場合がある。本開示は、ユーザが店舗で商品を入手する際に支払う金額を低減させることができる技術を提供することを目的とする。
【課題を解決するための手段】
【０００５】
本開示の一実施形態に係る情報処理装置は、第１ユーザが店舗で入手する商品の第１代金の少なくとも一部であって、前記店舗の事業者に支払われた立て替え額を、前記第１ユーザに関連付けて記憶する処理と、前記第１ユーザが前記商品を入手してから所定の期限が経過した場合、前記立て替え額の少なくとも一部を前記第１ユーザから徴収する処理と、を実行する。
【図面の簡単な説明】
【０００６】
【図１】本開示の一実施形態に係る通信システムの構成を示す図である。
【図２】実施形態に係るサーバ、及び端末のハードウェア構成の一例を示す図である。
【図３】実施形態に係るサーバ、及び端末の機能的な構成を示すブロック図の一例を示す図である。
【図４】実施形態に係る通信システムのリース開始処理のシーケンスの一例を示す図である。
【図５Ａ】実施形態に係る商品情報記憶部に記憶されている商品情報の一例を示す図である。
【図５Ｂ】実施形態に係る売買情報記憶部に記憶されている売買情報の一例を示す図である。
【図５Ｃ】実施形態に係る立て替え情報記憶部に記憶される立て替え情報の一例を示す図である。
【図５Ｄ】実施形態に係るユーザ情報記憶部に記憶される立て替え情報の一例を示す図である。
【図６Ａ】実施形態に係る端末の表示画面の一例について説明する図である。
【図６Ｂ】実施形態に係る端末の表示画面の一例について説明する図である。
【図６Ｃ】実施形態に係る端末の表示画面の一例について説明する図である。
【図６Ｄ】実施形態に係る端末の表示画面の一例について説明する図である。
【図６Ｅ】実施形態に係る端末の表示画面の一例について説明する図である。
【図７Ａ】実施形態に係る通信システムのリース終了処理のシーケンスの一例を示す図である。
【図７Ｂ】実施形態に係る通信システムのリース終了処理のシーケンスの一例を示す図である。
【図８Ａ】実施形態に係る端末の表示画面の一例について説明する図である。
【図８Ｂ】実施形態に係る端末の表示画面の一例について説明する図である。
【図８Ｃ】実施形態に係る端末の表示画面の一例について説明する図である。
【発明を実施するための形態】
【０００７】
＜法令遵守＞
本明細書に記載の開示は、実施される場合、本開示を実施する各国の法令を遵守のうえで実施される。また、本明細書に記載の開示は、各国の法令を遵守するために必要な、当業者が成し得る全ての変更、置換、変形、改変、および修正をもって実施される。
【０００８】
本開示に係る立て替えを実施するための形態について、図面を参照して説明する。
＜システム構成＞
図１は、本開示の一実施形態に係る通信システム１の構成を示す図である。図１に開示されるように、通信システム１では、ネットワーク１３０を介してサーバ１１０Ａ、サーバ１１０Ｂと、端末１２０Ａ、端末１２０Ｂ、端末１２０Ｃと、ＰＯＳ端末１４０Ａ、ＰＯＳ端末１４０Ｂ、ＰＯＳ端末１４０Ｃとが接続される。
【０００９】
本開示において、サーバ１１０Ａと、サーバ１１０Ｂとをそれぞれ区別する必要がない場合は、サーバ１１０Ａとサーバ１１０Ｂとは、それぞれサーバ１１０と表現されてもよい。
【００１０】
本開示において、端末１２０Ａと、端末１２０Ｂと、端末１２０Ｃとをそれぞれ区別する必要がない場合は、端末１２０Ａと端末１２０Ｂと端末１２０Ｃとは、それぞれ端末１２０（「情報処理端末」の一例。）と表現されてもよい。また、本開示において、ＰＯＳ端末１４０Ａと、ＰＯＳ端末１４０Ｂと、ＰＯＳ端末１４０Ｃとをそれぞれ区別する必要がない場合は、ＰＯＳ端末１４０ＡとＰＯＳ端末１４０ＢとＰＯＳ端末１４０Ｃとは、それぞれＰＯＳ端末１４０と表現されてもよい。
【００１１】
本開示において、サーバ１１０と、端末１２０と、ＰＯＳ端末１４０とをそれぞれ区別する必要がない場合は、サーバ１１０と端末１２０とＰＯＳ端末１４０とは、それぞれ情報処理装置２００と表現されてもよい。なお、ネットワーク１３０に接続される情報処理装置２００の数は図１の例に限定されない。
【００１２】
サーバ１１０は、ネットワーク１３０を介してユーザが利用する端末１２０に、所定のサービスを提供する。所定のサービスは、限定でなく例として、決済サービス、取引サービス、ユーザが店舗（実店舗、及びオンライン店舗を含む）で選択した商品を当該ユーザに貸与するリースサービス、金融サービス、電子商取引サービス、インスタントメッセンジャー等を用いるメッセージングサービスを代表とするSNS（Social Networking Service）、楽曲・動画・書籍などのコンテンツ提供サービス等を含む。ユーザが端末１２０を介して所定のサービスを利用することで、サーバ１１０は１以上の端末１２０に所定のサービスを提供することができる。なお、取引サービスは、例えば、消費者が商品を販売できるようにするサービスであり、例えば、フリーマーケットサービス、ネットオークションサービス等の取引（個人間オンライン取引、ＣｔｏＣ(Consumer to Consumer)電子商取引、消費者間オンライン取引）サービス、及び即時買取（質屋）サービス等が含まれてもよい。
【００１３】
ＰＯＳ端末１４０は、例えば、店舗等に設置されるＰＯＳ(Point of sale system)の端末である。ＰＯＳ端末１４０は、例えば、端末１２０のユーザ（顧客）が購入する商品の代金を入力する操作を店員から受け付ける。そして、端末１２０がユーザによりＰＯＳ端末１４０のカードリーダにかざされる等をされた場合、ＰＯＳ端末１４０は、例えば、近距離無線通信を用いて、端末１２０から情報を読み取り、読み取った情報をサーバ１１０に送信することにより、代金の支払いを受ける。
【００１４】
端末１２０は、例えば、ユーザのスマートフォン等の端末であり、サーバ１１０により提供される決済サービス、フリーマーケットサービスまたはネットオークションサービス等の個人間取引サービス、リースサービス等の各種サービスを利用する処理を行う。
【００１５】
なお、本開示のリースサービスには、例えば、サーバ１１０の事業者が代金の一部の額（立て替え額、割引額）を立て替えてユーザに商品を購入させ、サーバ１１０により提供される個人間取引サービスを用いて当該ユーザに当該商品を所定の期限までに販売（売却）させ、販売による売上金から当該立て替え額を徴収するサービスが含まれる。なお、当該商品は、限定ではなく例として、服、本、ゲーム等の商品でもよい。
【００１６】
本開示において、決済サービスとは１以上のユーザが金銭または金銭相当物の授受ができるサービスを意味する。限定でなく例として、一次元コード（バーコードなど）、二次元コード（ＱＲコード（登録商標）など）（以下で、一次元コードおよび二次元コードをまとめて「二次元コード等」と総称する。）、近距離無線通信（ＮＦＣ (Near Field Communication)、ＢＬＥ（Bluetooth（登録商標） Low Energy）、Wi-Fi（登録商標）、超音波通信、赤外線通信など）を利用して決済を行うサービスを含む。また、代金の支払いを行うユーザ（支払者）の端末１２０が二次元コード等を読み取ることで決済を行うことを「ユーザ読取型コード決済」または「ＭＰＭ（Merchant Presented Mode）」と表現し、支払いを行うユーザの端末１２０が二次元コード等を表示し、表示された二次元コード等を、代金を請求する店舗側等のユーザ（販売者、請求者）の端末１２０が読み取ることで決済を行うことを「店舗読取型コード決済」または「ＣＰＭ（Consumer Presented Mode）」と表現する。なお、ＭＰＭおよびＣＰＭは、動的であってもよいし、静的であってもよい。
【００１７】
必要に応じて、ユーザＸが利用する端末を端末１２０Ｘと表現し、ユーザＸまたは端末１２０Ｘに対応づけられた、所定のサービスにおけるユーザ情報をユーザ情報Ｘと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報、ユーザに対応付けられた電子バリュー（電子マネー）の残高情報、ユーザに対応付けられたクレジットカード情報（クレジットカード番号など）を含み、これらのいずれか一つまたは、組み合わせであってもよい。
【００１８】
ネットワーク１３０は、２以上の情報処理装置２００を接続する役割を担う。ネットワーク１３０は、端末１２０がサーバ１１０に接続した後、データを送受信することができるように接続経路を提供する通信網を意味する。
【００１９】
ネットワーク１３０のうちの１つまたは複数の部分は、有線ネットワークや無線ネットワークであってもよい。ネットワーク１３０は、限定でなく例として、アドホック・ネットワーク（Ad Hoc Network）、イントラネット、エクストラネット、仮想プライベート・ネットワーク（Virtual Private Network：ＶＰＮ）、ローカル・エリア・ネットワーク（Local Area Network：ＬＡＮ）、ワイヤレスＬＡＮ（Wireless LAN：ＷＬＡＮ）、広域ネットワーク（Wide Area Network：ＷＡＮ）、ワイヤレスＷＡＮ（Wireless WAN：ＷＷＡＮ）、大都市圏ネットワーク（Metropolitan Area Network：ＭＡＮ）、インターネットの一部、公衆交換電話網（Public Switched Telephone Network：ＰＳＴＮ）の一部、携帯電話網、ＩＳＤＮｓ（Integrated Service Digital Networks）、無線ＬＡＮｓ、ＬＴＥ（Long Term Evolution）、ＣＤＭＡ（Code Division Multiple Access）、ブルートゥース（Bluetooth（登録商標））、衛星通信など、または、これらの２つ以上の組合せを含むことができる。ネットワーク１３０は、１つまたは複数のネットワーク１３０を含むことができる。
【００２０】
情報処理装置２００は、本開示に記載される機能および方法を実現できる情報処理装置であればどのような情報処理装置であってもよい。
【００２１】
情報処理装置２００は、限定ではなく例として、スマートフォン、携帯電話（フィーチャーフォン）、コンピュータ（限定でなく例として、デスクトップ、ラップトップ、タブレットなど）、サーバ装置、メディアコンピュータプラットホーム（限定でなく例として、ケーブル、衛星セットトップボックス、デジタルビデオレコーダなど）、ハンドヘルドコンピュータデバイス（限定でなく例として、ＰＤＡ（Personal Digital Assistant）、電子メールクライアントなど）、ウェアラブル端末（限定でなく例として、メガネ型デバイス、時計型デバイスなど）、他種のコンピュータ、またはコミュニケーションプラットホームを含む。
【００２２】
＜ハードウェア構成＞ 
図２を用いて、通信システム１に含まれる情報処理装置２００のハードウェア構成について説明する。図２は、実施形態に係る情報処理装置２００のハードウェア構成の一例を示す図である。
【００２３】
情報処理装置２００は、プロセッサ２０１と、メモリ２０２と、ストレージ２０３と、入出力インタフェース（入出力Ｉ／Ｆ）２０４と、通信インタフェース（通信Ｉ／Ｆ）２０５とを含む。情報処理装置２００のハードウェアの各構成要素は、限定でなく例として、バスＢを介して相互に接続される。
【００２４】
情報処理装置２００は、プロセッサ２０１と、メモリ２０２と、ストレージ２０３と、入出力Ｉ／Ｆ２０４と、通信Ｉ／Ｆ２０５との協働により、本開示に記載される機能、および／または、方法を実現する。
【００２５】
プロセッサ２０１は、ストレージ２０３に記憶されるプログラムに含まれるコードまたは命令によって実現する機能および方法を実行する。プロセッサ２０１は、限定でなく例として、中央処理装置（ＣＰＵ）、ＭＰＵ（Micro Processing Unit）、ＧＰＵ（Graphic s Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００２６】
メモリ２０２は、ストレージ２０３からロードしたプログラムを一時的に記憶し、プロセッサ２０１に対して作業領域を提供する。メモリ２０２には、プロセッサ２０１がプログラムを実行している間に生成される各種データも一時的に格納される。メモリ２０２は、限定でなく例として、ＲＡＭ（Random Access Memory）、ＲＯＭ（Read Only Memory）などを含む。
【００２７】
ストレージ２０３は、プログラムを記憶する。ストレージ２０３は、限定でなく例として、ＨＤＤ（Hard Disk Drive）、ＳＳＤ（Solid State Drive）、フラッシュメモリなどを含む。
【００２８】
通信Ｉ／Ｆ２０５は、ネットワーク１３０を介して各種データの送受信を行う。当該通信は、有線、無線のいずれで実行されてもよく、互いの通信が実行できるのであれば、どのような通信プロトコルを用いてもよい。通信Ｉ／Ｆ２０５は、ネットワーク１３０を介して、他の情報処理装置との通信を実行する機能を有する。通信Ｉ／Ｆ２０５は、各種データをプロセッサ２０１からの指示に従って、他の情報処理装置に送信する。また、通信Ｉ／Ｆ２０５は、他の情報処理装置から送信された各種データを受信し、プロセッサ２０１に伝達する。
【００２９】
入出力Ｉ／Ｆ２０４は、情報処理装置２００に対する各種操作を入力する入力装置、および、情報処理装置２００で処理された処理結果を出力する出力装置を含む。入出力Ｉ／Ｆ２０４は、入力装置と出力装置が一体化していてもよいし、入力装置と出力装置とに分離していてもよい。
【００３０】
入力装置は、ユーザからの入力を受け付けて、当該入力に係る情報をプロセッサ２０１に伝達できる全ての種類の装置のいずれか、または、その組み合わせにより実現される。入力装置は、限定でなく例として、タッチパネル、タッチディスプレイ、キーボード等のハードウェアキーや、マウス等のポインティングデバイス、カメラ（画像を介した操作入力）、マイク（音声による操作入力）を含む。
【００３１】
出力装置は、プロセッサ２０１で処理された処理結果を出力することができる全ての種類の装置のいずれか、または、その組み合わせにより実現される。当該処理結果を映像または動画像として出力する場合、出力装置は、フレームバッファに書き込まれた表示データに従って、当該表示データを表示することができる全ての種類の装置のいずれかまたはその組み合わせにより実現される。出力装置は、限定でなく例として、タッチパネル、タッチディスプレイ、モニタ（限定でなく例として、液晶ディスプレイ、ＯＥＬＤ（Organic Electroluminescence Display）など）、ヘッドマウントディスプレイ（ＨＤＭ：Head Mounted Display）、プロジェクションマッピング、ホログラム、空気中など（真空であってもよい）に画像やテキスト情報等を表示可能な装置、スピーカ（音声出力）、プリンターなどを含む。なお、これらの出力装置は、３Ｄで表示データを表示可能であってもよい。
【００３２】
本開示の各実施形態のプログラムは、コンピュータに読み取り可能な記憶媒体に記憶された状態で提供されてもよい。記憶媒体は、「一時的でない有形の媒体」に、プログラムを記憶可能である。プログラムは、限定でなく例として、ソフトウェアプログラムやコンピュータプログラムを含む。
【００３３】
記憶媒体は適切な場合、１つまたは複数の半導体ベースの、または他の集積回路（ＩＣ）（限定でなく例として、フィールド・プログラマブル・ゲート・アレイ（ＦＰＧＡ）、特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。
【００３４】
また、本開示のプログラムは、当該プログラムを伝送可能な任意の伝送媒体（通信ネットワークや放送波等）を介して、情報処理装置２００に提供されてもよい。
【００３５】
また、本開示の各実施形態は、プログラムが電子的な伝送によって具現化された、搬送波に埋め込まれたデータ信号の形態でも実現され得る。
【００３６】
なお、本開示のプログラムは、限定でなく例として、JavaScript（登録商標）、Pythonなどのスクリプト言語、Ｃ言語、Ｇｏ言語、Swift、Kotlin、Java（登録商標）などを用いて実装される。
【００３７】
情報処理装置２００における処理の少なくとも一部は、１以上のコンピュータにより構成されるクラウドコンピューティングにより実現されていてもよい。
【００３８】
情報処理装置２００における処理の少なくとも一部を、他の情報処理装置により行う構成としてもよい。この場合、プロセッサ２０１により実現される各機能部の処理のうち少なくとも一部の処理を、他の情報処理装置で行う構成としてもよい。
【００３９】
＜その他＞
明示的な言及のない限り、本開示の実施形態における判定の構成は必須でなく、判定条件を満たした場合に所定の処理が動作されたり、判定条件を満たさない場合に所定の処理がされたりしてもよい。
【００４０】
本開示では、明記されていない限り、または文脈によって示されない限り、「AおよびBの少なくとも一方」は、「Ａ、Ｂ、またはその両方」を意味する。さらに、明記されない限り、または文脈によって示されない限り、「ａ」、「ａｎ」、または「ｔｈｅ」は「１つまたは複数」を意味するものとする。したがって、本明細書では、別段に明記されない限り、または文脈によって示されない限り、「ａｎ  Ａ」または「ｔｈｅ  Ａ」は「１つまたは複数のＡ」を意味する。
【００４１】
本開示は、本開示の実施形態および実施例に対して、当業者が成し得る全ての変更、置換、変形、改変、または修正を包含する。また、添付の特許請求の範囲は、本開示の実施形態および実施例に対して、当業者が成し得る全ての変更、置換、変形、改変、または修正を包含する。さらに、本開示は、当業者が成し得る、本開示における実施形態または実施例の１以上の特徴と、本開示における他の実施形態または実施例の１以上の特徴との任意の組合せを包含する。
【００４２】
加えて、特定の機能を実施するように適合される、配置される、能力を有する、構成される、使用可能である、動作可能である、または動作できる装置またはシステムあるいは装置またはシステムの構成要素に対する添付の特許請求の範囲での参照は、その装置、システム、または構成要素がそのように適合される、配置される、能力を有する、構成される、使用可能にされる、動作可能にされる、または動作できる限り、その装置、システム、構成要素またはその特定の機能がアクティベートされ、オンにされ、またはロック解除されているか否かに関わらず、その装置、システム、構成要素を包含する。
【００４３】
本開示は、明示されない限り、いずれの実施形態または実施例を実施するに際して、事前に、または、実施の直前にユーザからの同意を取得してもよい。また、取得する同意は、包括的なものでもよく、都度取得するものでもよい。
【００４４】
＜実施形態＞
本開示の実施形態は、ユーザが商品を購入する際の代金を立て替える実施形態である。
【００４５】
実施形態により、例えば、ユーザが店舗で商品を入手する際に支払う金額を低減させることができる。また、例えば、ユーザの残高が商品の代金より少ない場合でも入手できる場合があるため、残高へ入金する手間が減少し、結果的に端末１２０Ａやサーバ１１０の負荷、及び端末１２０Ａとサーバ１１０間のネットワーク１３０の負荷を軽減できるという効果が得られる。
【００４６】
＜実施形態の機能構成＞
図３を用いてサーバ１１０および端末１２０の機能構成を説明する。図３は、実施形態に係るサーバ１１０、及び端末１２０の機能的な構成を示すブロック図の一例を示す図である。図３に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００４７】
（１）サーバの機能構成 
サーバ１１０は、受付部３１１と、送受信部３１２と、制御部３１３と、表示制御部３１４と、記憶部３１５とを有する。なお、各機能部の機能または処理は、実現可能な範囲において、機械学習またはＡＩ（Ａｒｔｉｆｉｃｉａｌ  Ｉｎｔｅｌｌｉｇｅｎｃｅ）により実現されてもよい。
【００４８】
受付部３１１は、サーバ１１０により提供される各種のサービスを運営する事業者からの各種の設定操作等を受け付ける。
【００４９】
送受信部３１２は、制御部３１３の指示に従い、端末１２０とのデータの送受信を行う。なお、送受信部３１２は、例えば、端末１２０等からのログイン要求に含まれるユーザＩＤ、及びパスワードにより端末１２０等のユーザが認証された際、端末１２０等とのＨＴＴＰＳ等を用いた通信用のセッションを接続する。そして、接続した通信用のセッションのＩＤに対応付けて、端末１２０等の通信用のアドレス、及びユーザＩＤ等を記憶しておく。そして、接続した通信用のセッションを用いて、端末１２０等にデータを送信する。
【００５０】
制御部３１３は、リースサービス、取引サービスを含む電子商取引サービス、決済サービス、及び金融サービス等のサービスを、端末１２０のユーザに提供する処理を行う。
【００５１】
表示制御部３１４は、制御部３１３の指示に従い、端末１２０の表示画面を制御する情報を、送受信部３１２に送信させる。
【００５２】
記憶部３１５は、商品の情報を記憶する商品情報記憶部３１５１、サーバ１１０が提供する取引サービスで売買されている商品の情報を記憶する売買情報記憶部３１５２、代金の立て替えの情報を記憶する立て替え情報記憶部３１５３、及びユーザの情報を記憶するユーザ情報記憶部３１５４等を有する。
【００５３】
（２）端末の機能構成 
端末１２０は、受付部３２１と、送受信部３２２と、制御部３２３と、表示制御部３２４と、記憶部３２５とを有する。なお、各機能部の機能または処理は、実現可能な範囲において、機械学習またはＡＩにより実現されてもよい。
【００５４】
受付部３２１は、端末１２０のユーザからの各種の操作等を受け付ける。
【００５５】
送受信部３２２は、制御部３２３の指示に従い、サーバ１１０等とのデータの送受信を行う。なお、送受信部３２２は、例えば、サーバ１１０にログインした際、サーバ１１０とのＨＴＴＰＳ等を用いた通信用のセッションを接続する。そして、接続した通信用のセッションのＩＤに対応付けて、サーバ１１０の通信用のアドレス等を記憶しておく。そして、接続した通信用のセッションを用いて、サーバ１１０にデータを送信する。
【００５６】
制御部３２３は、サーバ１１０により提供されるリースサービス、取引サービスを含む電子商取引サービス、決済サービス、及び金融サービス等の各種のサービスを利用する処理を行う。
【００５７】
表示制御部３２４は、制御部３２３の指示に従い、サーバ１１０から受信した情報等に基づいて、端末１２０の表示画面を制御する。
【００５８】
記憶部３２５は、サーバ１１０により提供されるリースサービス等を利用するための情報を記憶する。
【００５９】
＜実施形態の処理＞
以下では、サーバ１１０により提供されるリースサービスを用いて商品を入手するユーザをユーザＡ、サーバ１１０により提供される取引サービスを用いて当該商品を入手するユーザをユーザＢとして説明する。なお、以下の例では、実店舗（現実世界に存在する店舗）で商品を入手する場合を例として説明するが、本開示は、ＥＣ（Electronic Commerce）サイト等のオンライン店舗（オンラインストア、オンラインショップ）で用いることもできる。
【００６０】
≪リース開始処理≫
図４から図６Ｅを参照し、実施形態に係る通信システム１のリース開始（商品購入）処理について説明する。図４は、実施形態に係る通信システム１のリース開始処理のシーケンスの一例を示す図である。図５Ａは、実施形態に係る商品情報記憶部３１５１に記憶されている商品情報の一例を示す図である。図５Ｂは、実施形態に係る売買情報記憶部３１５２に記憶されている売買情報の一例を示す図である。図５Ｃは、実施形態に係る立て替え情報記憶部３１５３に記憶される立て替え情報の一例を示す図である。図５Ｄは、実施形態に係るユーザ情報記憶部３１５４に記憶されるユーザ情報の一例を示す図である。図６Ａから図６Ｅは、実施形態に係る端末１２０の表示画面の一例について説明する図である。なお、端末１２０Ａは、サーバ１１０との通信を行う際、ユーザＡのアカウントを用いてサーバ１１０の認証を受けているものとする。
【００６１】
ステップＳ１において、端末１２０Ａの受付部３２１は、サーバ１１０により提供されるリースサービスを用い、ユーザＡに選択された商品に対する立て替え情報を表示させる操作をユーザＡから受け付ける。続いて、端末１２０Ａの送受信部３２２は、商品の立て替え情報の取得要求をサーバ１１０に送信する（ステップＳ２）。商品の立て替え情報の取得要求には、商品の識別情報（商品コード）やユーザＡのユーザＩＤが含まれてもよい。なお、サーバ１１０は、端末１２０Ａから受信した取得要求の通信用のセッションのＩＤに基づいて、端末１２０ＡのユーザＩＤを取得してもよい。
【００６２】
ここで、端末１２０Ａの制御部３２３は、例えば、ユーザＡの操作に応答して、商品に付加されているタグ（値札）等に印刷されているバーコードの画像を撮影し、撮影した画像から商品コードを読み取ってもよい。そして、端末１２０Ａの送受信部３２２は、読み取った商品コードをサーバ１１０に送信してもよい。この場合、端末１２０Ａの表示制御部３２４は、図６Ａのバーコード画面６０１の例のように、ユーザＡに指定された店舗である「店舗Ａ」６０２においてバーコードの撮影を促すメッセージ６０３、撮影画像６０４、及び「ＯＫ」ボタン６０５等を表示させてもよい。そして、端末１２０Ａの送受信部３２２は、例えば、ステップＳ１において図６Ａの「ＯＫ」ボタン６０５が押下されると、ステップＳ２の処理を実行してもよい。
【００６３】
また、端末１２０Ａの送受信部３２２は、例えば、実店舗またはオンライン店舗の事業者等のＷｅｂサイトに掲載されている商品一覧のうち、ユーザＡに指定された商品の商品コードをサーバ１１０に送信してもよい。この場合、端末１２０Ａの送受信部３２２は、当該ＷｅｂサイトのＵＲＬ（Uniform Resource Locator）を、実店舗に設置されているビーコン等から取得してもよい。また、端末１２０Ａの送受信部３２２は、当該ＷｅｂサイトのＵＲＬを、サーバ１１０から配信される広告の情報から取得してもよい。端末１２０Ａの表示制御部３２４は、図６ＢのＷｅｂサイト画面６０２の例では、ユーザＡに指定された実店舗またはオンライン店舗である「店舗Ａ」６１２で販売している商品の一覧６１３、及び商品の選択を促すメッセージ６１４等を表示させている。商品の一覧６１３には、各商品の画像６１３Ａから６１３Ｄが表示されている。端末１２０Ａの送受信部３２２は、例えば、ステップＳ１において図６Ｂの各商品の画像６１３Ａから６１３Ｄのいずれかが選択されると、ステップＳ２の処理を実行してもよい。
【００６４】
続いて、サーバ１１０の制御部３１３は、商品情報記憶部３１５１、及び売買情報記憶部３１５２を参照し、ユーザＡに指定された商品の立て替え額を算出する（ステップＳ３）。なお、当該立て替え額は、サーバ１１０のリースサービスを運営する事業者が立て替える金額である。
【００６５】
（商品情報記憶部３１５１）
図５Ａの例では、商品情報記憶部３１５１には、商品コードに対応付けて、商品名、定価（円）、商品説明、商品の画像、カテゴリー、ブランド（メーカー名）、商品の色、商品のサイズ、及び発売日が記憶されている。商品名、定価（円）、商品説明、商品の画像、ブランド（メーカー名）、商品の色、商品のサイズ、及び発売日は、それぞれ、商品コードに係る商品の名称、定価、商品説明、商品の画像、ブランド（メーカー名）、色、サイズ、及び商品が初めて発売された日である。カテゴリーは、例えば、レディース、ベビー・キッズ、本、ゲーム等の商品の属性を示す情報である。商品情報記憶部３１５１に記憶される情報は、例えば、商品のメーカー、及び店舗の事業者等から予め入手した情報に基づき、サーバ１１０の事業者により設定されてもよい。
【００６６】
（売買情報記憶部３１５２）
図５Ｂの例では、売買情報記憶部３１５２には、商品ＩＤに対応付けて、出品者のユーザＩＤ、購入者のユーザＩＤ、取引状態、商品名、価格（円）、商品説明、商品の画像、カテゴリー、ブランド、商品の色、商品のサイズ、及び取引日時が記憶されている。
【００６７】
商品ＩＤは、ユーザから出品された商品の識別情報である。取引状態は、商品ＩＤに係る商品の取引に関する状態であり、例えば、「出品中」、「取引中」、「取引完了」、「出品停止」、「購入者によるキャンセル」、「運営者によるキャンセル」等を含んでもよい。「出品中」は、任意のユーザが商品ＩＤに係る商品の購入が可能な状態である。「取引中」は、購入者により購入操作がされてから、出品者により発送された商品が購入者に届いて購入者により受け取り完了の操作がされるまでの状態である。「取引完了」は、購入者により受け取り完了の操作がされた後の状態である。「出品停止」は、出品者が出品を取りやめた状態である。「購入者によるキャンセル」は、購入者が購入をキャンセルした状態である。「運営者によるキャンセル」はサーバ１１０の管理者により、違法な出品等に対する購入者による購入がキャンセルされた状態である。
【００６８】
商品名、価格（円）、商品説明、商品の画像、カテゴリー、ブランド、商品の色、及び商品のサイズは、それぞれ、出品者のユーザ等により設定された、商品ＩＤに係る商品の名称、出品者に指定された売却価格、商品説明、商品の画像、カテゴリー、ブランド名、色、サイズである。取引日時は、購入者による購入操作が行われた日時である。
【００６９】
なお、サーバ１１０の制御部３１３は、サーバ１１０により提供される取引サービスにおいて出品、及び販売等が行われた際に、出品、及び販売等の情報を、売買情報記憶部３１５２に記憶させているものとする。
【００７０】
ステップＳ３の処理で、サーバ１１０の制御部３１３は、売買情報記憶部３１５２を参照して、サーバ１１０により提供される取引サービスにおける当該商品の販売可能額を推定し、推定した当該商品の販売可能額に基づいて当該商品の立て替え額を決定してもよい。
【００７１】
この場合、サーバ１１０の制御部３１３は、売買情報記憶部３１５２を参照し、ユーザＡに指定された商品と同一、またはユーザＡに指定された商品との類似度が所定の閾値以上の（類似する）商品が購入者により購入された価格の代表値を算出し、当該代表値を販売可能額と推定してもよい。なお、サーバ１１０の制御部３１３は、代表値として、例えば、平均値、中央値、または最繁値を用いてもよい。そして、サーバ１１０の制御部３１３は、サーバ１１０により提供される取引サービスを用いて当該代表値の価格で商品を販売した場合に、サーバ１１０の事業者に徴収される販売手数料を算出する。そして、サーバ１１０の制御部３１３は、当該代表値から当該販売手数料を減算した額を、当該商品の立て替え額としてもよい。この場合、サーバ１１０の制御部３１３は、当該商品の立て替え額の有効桁数が所定の桁数（例えば、２桁）となるように、四捨五入、切り上げ、または切り捨てにより額を丸めてもよい。
【００７２】
なお、サーバ１１０の制御部３１３は、ユーザＡに指定された商品と、売買情報記憶部３１５２に記憶されている商品との、商品名、ブランド、商品の色、及び商品のサイズが一致する場合に、両商品が同一であると判定してもよい。また、サーバ１１０の制御部３１３は、例えば、ユーザＡに指定された商品と、売買情報記憶部３１５２に記憶されている商品との、カテゴリーが予め設定されている所定の関係にあり、商品名の少なくとも一部、及びブランドが一致する場合に、両商品の類似度が所定の閾値以上と判定してもよい。また、サーバ１１０の制御部３１３は、例えば、ディープラーニング等により機械学習を行ったＡＩを用いて、商品の定価、取引サービスで売買された価格、商品名、ブランド、色、及びサイズ等に基づいて、両商品の類似度を算出してもよい。
【００７３】
なお、サーバ１１０の制御部３１３は、商品情報記憶部３１５１を参照して、ユーザＡに指定された商品の種別を取得し、当該種別が所定の種別である場合、立て替えを拒否し、端末１２０Ａに立て替え拒否応答を送信してもよい。この場合、サーバ１１０の制御部３１３は、例えば、下着等の衛生商品を、当該所定の種別と判定してもよい。なお、所定の種別は、店舗の事業者や、売買の事業者によって予め設定されていてもよい。
【００７４】
続いて、サーバ１１０の制御部３１３は、ユーザＡのユーザＩＤ、商品コード、及び算出した立て替え額等の情報を、立て替え情報記憶部３１５３に記憶する（ステップＳ４）。
【００７５】
（立て替え情報記憶部３１５３）
図５Ｃの例では、立て替え情報記憶部３１５３には、立て替えＩＤ（コードＩＤ）に対応付けて、立て替え対象者のユーザＩＤ、立て替え額、商品コード、発行日時、リース日時、及びリース期限が記憶される。立て替えＩＤは、サーバ１１０のリースサービスを運営する事業者により立て替えの識別情報、または、サーバ１１０が端末１２０Ａに発行する二次元コード等の識別情報である。立て替え対象者のユーザＩＤは、サーバ１１０のリースサービスを運営する事業者が立て替える対象となるユーザＡのユーザＩＤである。商品コードは、端末１２０Ａから取得した、ユーザＡにより指定された商品の情報の識別情報である。商品コードは、例えば、商品のタグのバーコードから読み取られた情報でもよい。発行日時は、例えば、算出した立て替え額等の情報を立て替え情報記憶部３１５３に記憶した日時等である。リース日時は、ユーザＡが店舗で商品を購入した日時である。リース期限（「立て替え額を徴収する期限」の一例。）は、ユーザＡがサーバ１１０により提供される取引サービスを利用して当該商品を販売し、立て替え額をサーバ１１０の事業者に返済する期限である。リース期限は、例えば、商品の種別（カテゴリー）に応じて予め設定された期限でもよい。または、リース期限は、例えば、ユーザＡにより指定されてもよい。
【００７６】
続いて、サーバ１１０の送受信部３１２は、立て替え額等の通知を端末１２０Ａに送信する（ステップＳ５）。ここで、サーバ１１０の送受信部３１２は、例えば、立て替え額、及び立て替えＩＤの情報を端末１２０Ａに送信してもよい。また、サーバ１１０の送受信部３１２は、商品情報記憶部３１５１に記憶されている、ユーザＡにより選択された商品の商品名、及び商品の画像等も端末１２０Ａに送信してもよい。
【００７７】
続いて、端末１２０Ａの表示制御部３２４は、立て替え額等の情報を表示させる（ステップＳ６）。端末１２０Ａの表示制御部３２４は、図６Ｃの立て替え情報表示画面６２１の例では、サーバ１１０から受信した立て替え額等の情報に基づき、商品名、及び立て替え額を含むメッセージ６２２、サーバ１１０のリースサービスを利用する条件の説明文６２３、二次元コード６２４、レジで店員に提示することを促すメッセージ６２５を表示させている。リースサービスを利用する条件の説明文６２３には、立て替え額、リース期限、リース期限までに商品をサーバ１１０により提供される取引サービスにて販売し、代金から手数料等を差し引いた利益（売上金）から立て替え額を返済することを説明する文章が含まれている。また、リース期限までに立て替え額を返済できない場合に発生する金利等の条件を説明する文章等も含まれている。なお、端末１２０Ａの表示制御部３２４は、立て替え額等の情報に含まれる立て替えＩＤに基づいて二次元コード６２４を生成して表示させてもよい。また、端末１２０Ａの表示制御部３２４は、図６Ｃの例では、サーバ１１０により提供される取引サービスにおけるユーザＡにより指定された商品の売買情報へのリンク６２６も表示させている。リンク６２６がユーザＡにより押下されると、端末１２０Ａの表示制御部３２４は、図６Ｄの売買情報画面６３１を表示させてもよい。ここで、端末１２０Ａの送受信部３２２は、ステップＳ１の操作で入力された商品コードを含む売買情報取得要求をサーバ１１０に送信する。そして、サーバ１１０の制御部３１３は、商品情報記憶部３１５１から当該商品コードに対応付けられた商品の情報を取得する。そして、売買情報記憶部３１５２を参照し、ユーザＡに指定された商品と同一及び類似する各商品の情報を取得し、各商品の価格及び画像等と、各商品の価格の代表値等の情報を端末１２０Ａに送信する。そして、端末１２０Ａの表示制御部３２４は、図６Ｄの例のように、サーバ１１０により提供される取引サービスで出品された各商品であって、ユーザＡに指定された商品と同一及び類似する各商品の一覧を表示させる。これにより、ユーザＡは、店舗で購入を検討している商品が、サーバ１１０により提供される取引サービスを用いてどのような価格で売買されているかを知ることができる。
【００７８】
端末１２０Ａの表示制御部３２４は、図６Ｄの例では、ユーザＡに指定された商品と同一及び類似する商品が売買された額の代表値３６２、商品の一覧３６３、及び戻るアイコン６３４を表示させている。また、端末１２０Ａの表示制御部３２４は、商品の一覧３６３において、各商品の画像６４１Ａから６４６Ａ、各商品の価格６４１Ｂから６４６Ｂ、及び商品が売買されたことを示すマーク６４１Ｃ、６４３Ｃ、及び６４４Ｃを表示させている。また、端末１２０Ａの表示制御部３２４は、商品の画像６４３Ａに対応付けて、サーバ１１０により提供されるリースサービスを用いて購入された商品であることを示すオブジェクト８２２を表示させている。
【００７９】
図６Ｄの例では、サーバ１１０により提供されるリースサービスを用いずに購入された画像６４１Ａの商品が売買された価格６４１Ｂは３３００円であり、当該リースサービスを用いて購入された画像６４３Ａの商品が売買された価格６４３Ｂは６６００円であることが示されている。なお、戻るアイコン６３４が押下されると、端末１２０Ａの表示制御部３２４は、図６Ｃの立て替え情報表示画面６２１を表示させる。
【００８０】
続いて、ＰＯＳ端末１４０は、立て替えＩＤを端末１２０Ａから取得する（ステップＳ７）。ここで、ＰＯＳ端末１４０は、端末１２０Ａに表示されている二次元コード等から立て替えＩＤを読み取ってもよい。または、ＰＯＳ端末１４０は、ＮＦＣ等の近距離無線通信により、立て替えＩＤを端末１２０Ａから取得してもよい。
【００８１】
続いて、ＰＯＳ端末１４０は、商品の代金、及び立て替えＩＤ等の情報を含む決済要求をサーバ１１０に送信する（ステップＳ８）。
【００８２】
なお、上述したステップＳ６からステップＳ７の処理は、店舗読取型コード決済、またはＮＦＣ等の近距離無線通信を用いてＰＯＳ端末１４０のカードリーダで端末１２０から情報を読み取る決済の方式の場合の例である。
【００８３】
ユーザ読取型コード決済の方式の場合は、上述したステップＳ６からステップＳ７の処理に代えて、例えば、以下の処理を行う。まず、ＰＯＳ端末１４０が、商品の代金、及び店舗の事業者のユーザＩＤに関連付けられたコードＩＤをサーバ１１０から取得し、当該コードＩＤを含む二次元コード等を表示する。そして、端末１２０Ａの制御部３２３が二次元コード等を読み取り、端末１２０Ａの送受信部３２２が商品の代金、立て替えＩＤ、及びコードＩＤ等の情報を含む決済要求をサーバ１１０に送信する。
【００８４】
続いて、サーバ１１０の制御部３１３は、ユーザ情報記憶部３１５４において、端末１２０ＡのユーザＡの残高から、立て替え後の決済額を減算する（ステップＳ９）。ここで、サーバ１１０の制御部３１３は、図５Ｃの立て替え情報記憶部３１５３を参照し、決済要求に含まれる立て替えＩＤに対応付けられた立て替え額を取得する。そして、サーバ１１０の制御部３１３は、決済要求に含まれる商品の代金から当該立て替え額を減算した額を、立て替え後の決済額として、端末１２０ＡのユーザＡの残高から減算する。これにより、例えば、商品の代金が１００００円で、立て替え額が３０００円の場合、ユーザＡの残高から７０００円が減算される。
【００８５】
（ユーザ情報記憶部３１５４）
図５Ｄの例では、ユーザ情報記憶部３１５４には、ユーザＩＤに対応付けて、入金額（円）、売上金（円）、ポイント、銀行口座、及びクレジットカード情報が記憶されている。ユーザＩＤは、ユーザの識別情報である。入金額は、例えば、銀行、クレジットカード、及び店舗のレジ等を用いてチャージされた金額（入金額）である。売上金は、例えば、当該ユーザがサーバ１１０により提供される取引サービスを用いて商品等を販売した際の当該商品等の代金から手数料を差し引いた額の合計額である。ポイントは、例えば、当該ユーザがサーバ１１０から付与された、代金の支払いに利用可能なポイントである。なお、１ポイントで１円分の支払いができるようにしてもよい。図５Ｄの例では、ユーザが決済に利用可能な金額である残高は、ユーザＡの場合は、入金額が７０００円、売上金が０円、ポイントが１００円分であるため、合計７、１００円である。
【００８６】
銀行口座は、例えば、ユーザにより登録された、サーバ１１０を運用する事業者と提携している銀行におけるユーザの預金口座であり、預金から残高に入金（チャージ）すること等が可能な銀行口座である。クレジットカード情報は、例えば、ユーザにより登録されたクレジットカードの情報であり、残高に入金（チャージ）すること等が可能なクレジットカードの情報である。
【００８７】
続いて、サーバ１１０の制御部３１３は、端末１２０ＡのユーザＡが立て替え情報を適用して購入した商品の情報を立て替え情報記憶部３１５３に記憶する（ステップＳ１０）。ここで、サーバ１１０の制御部３１３は、図５Ｃの立て替え情報記憶部３１５３において、ＰＯＳ端末１４０から受信した決済要求に含まれる立て替えＩＤに対応付けて、リース日時、及びリース期限を記憶させる。これにより、ユーザＡが店舗で選択した商品のユーザＡへのリースが開始される。なお、サーバ１１０の制御部３１３は、例えば、ステップＳ１０の処理を行う際の現在日時をリース日時として記憶してもよい。また、サーバ１１０の制御部３１３は、リース期限を、例えば、リース日時から３月以内等と設定されてもよい。
【００８８】
続いて、サーバ１１０の制御部３１３は、ＰＯＳ端末１４０の店舗の事業者に、当該商品の代金を支払う（ステップＳ１１）。ここで、サーバ１１０は、例えば、店舗の事業者の銀行口座に、当該商品の代金を振り込みしてもよいし、店舗の事業者のアカウントの残高に当該商品の代金を加算してもよい。
【００８９】
続いて、サーバ１１０の送受信部３１２は、立て替えの通知を端末１２０Ａに送信する（ステップＳ１２）。続いて、端末１２０Ａの表示制御部３２４は、立て替えの通知を表示する（ステップＳ１３）。端末１２０Ａの表示制御部３２４は、図６Ｅの立て替え通知の表示画面６５１の例では、サーバ１１０から受信した立て替え通知に含まれる情報に基づき、リースサービスでの返済条件の説明文６５２を表示している。リースサービスの返済条件の説明文６５２には、立て替え額、リース日時、リース期限、リース期限までに立て替え額を返済できない場合に発生する金利等の条件を説明する文章等が含まれてもよい。
【００９０】
≪リース終了処理≫
図７Ａから図６Ｅを参照し、実施形態に係る通信システム１のリース終了（商品売却）処理について説明する。図７Ａ、及び図７Ｂ（以下で、「図７」と総称する。）は、実施形態に係る通信システム１のリース終了処理のシーケンスの一例を示す図である。図８Ａから図８Ｃは、実施形態に係る端末１２０の表示画面の一例について説明する図である。なお、図７の処理の前に、上述した図４のリース開始処理が行われているものとする。
【００９１】
ステップＳ２１において、端末１２０Ａの受付部３２１は、サーバ１１０により提供されるリースサービスを用いて購入した商品を、サーバ１１０により提供される取引サービスで出品するための出品画面を表示させる操作をユーザＡから受け付ける。ここで、端末１２０Ａは、例えば、出品する商品を指定する操作を受け付ける。
【００９２】
なお、サーバ１１０の送受信部３１２は、例えば、ユーザＡがリースしている商品のリース期限の所定期間（例えば、１週間）前に、当該商品のリース期限の通知（リマインダー）を端末１２０Ａに送信してもよい。そして、端末１２０Ａの表示制御部３２４は、当該通知を表示し、当該通知の表示領域をユーザＡに押下された場合、以下のステップＳ２２の処理を実行してもよい。
【００９３】
また、端末１２０Ａの送受信部３２２は、例えば、ユーザＡがリースしている商品の一覧の取得要求をサーバ１１０に送信してもよい。そして、サーバ１１０の制御部３１３は、図５Ｃの立て替え情報記憶部３１５３を参照し、ユーザＡにリースしている商品の一覧の情報を送受信部３１２により端末１２０Ａに送信してもよい。そして、端末１２０Ａの送受信部３２２は、当該商品の一覧を表示し、出品する商品を一覧から選択されると、以下のステップＳ２２の処理を実行してもよい。
【００９４】
続いて、端末１２０Ａの送受信部３２２は、店舗の事業者等から提供されている当該商品等の情報の取得要求をサーバ１１０に送信する（ステップＳ２２）。ここで、当該取得要求には、ユーザＡに出品を指定された商品に対する立て替えＩＤが含まれていてもよい。
【００９５】
なお、端末１２０Ａの送受信部３２２は、ここで、例えば、ユーザＡにより撮影された商品の画像をサーバ１１０に送信してもよい。そして、サーバ１１０の制御部３１３は、受信した画像から商品を認識し、図５Ｃの立て替え情報記憶部３１５３に記憶されている、ユーザＡにリースしている各商品の画像から、受信した商品と同一の商品を抽出し、抽出した商品の立て替えＩＤを取得してもよい。これにより、ユーザＡは、商品の写真を撮影する等の簡単な操作により、リースサービスを用いて購入した商品を出品することができる。
【００９６】
続いて、サーバ１１０の制御部３１３は、図５Ｃの立て替え情報記憶部３１５３、及び図５Ａの商品情報記憶部３１５１を参照し、当該商品等の情報を取得する（ステップＳ２３）。ここで、サーバ１１０の制御部３１３は、図５Ｃの立て替え情報記憶部３１５３を参照し、受信した取得要求に含まれる立て替えＩＤに対応付けられた商品コードを取得する。そして、サーバ１１０の制御部３１３は、図５Ａの商品情報記憶部３１５１を参照し、取得した商品コードに対応付けられた商品名、定価（円）、商品説明、商品の画像、カテゴリー、ブランド、商品の色、商品のサイズ、及び発売日（以下で、商品名等と称する。）を取得する。また、サーバ１１０の制御部３１３は、図５Ｃの立て替え情報記憶部３１５３を参照し、受信した取得要求に含まれる立て替えＩＤに対応付けられた立て替え額を取得する。続いて、サーバ１１０の制御部３１３は、取得した当該商品等の情報を送受信部３１２により端末１２０Ａに返信する（ステップＳ２４）。
【００９７】
続いて、端末１２０Ａの表示制御部３２４は、受信した当該商品の情報に基づいて、当該商品に対する出品画面を表示させる（ステップＳ２５）。続いて、端末１２０Ａの受付部３２１は、出品画面において、出品操作をユーザＡから受け付ける（ステップＳ２６）。端末１２０Ａの表示制御部３２４は、図８Ａの出品画面８０１の例では、受信した当該商品の情報に基づいて、商品のメーカー等から提供された、商品の画像８０２Ａから８０２Ｄ、商品名８０３、商品説明８０４、カテゴリー８０５、及びブランド８０６の情報を予め設定して表示させている。これにより、例えば、ユーザＡは、サーバ１１０により提供されるリースサービスを利用して商品を購入した場合は、簡易な操作で当該商品を出品することができる。また、商品説明等を充実化させることができるため、より高い価格で販売できる可能性を高めることができる。
【００９８】
図８Ａの出品画面８０１においてユーザＡからスワイプ操作がされると、端末１２０Ａの表示制御部３２４は、図８Ｂの出品画面８１１を表示させる。端末１２０Ａの表示制御部３２４は、図８Ｂの例では、サーバ１１０から取得した立て替え額を、リースの立て替え額８１４として表示させている。
【００９９】
なお、端末１２０Ａの制御部３２３は、ユーザＡの操作により、商品の画像８０２Ａから８０２Ｄ、商品名８０３、商品説明８０４、カテゴリー８０５、及びブランド８０６の情報の追加、削除、編集等をできるようにしてもよい。これにより、例えば、ユーザＡは、商品説明８０４に自身で記入した文章を追加することができる。また、例えば、商品の画像として、ユーザＡが端末１２０Ａ等で撮影した画像を追加することもできる。
【０１００】
また、端末１２０Ａの制御部３２３は、ステップＳ２６の処理で、図８Ｂの出品画面８１１においてユーザＡに価格８１２を入力されると、販売手数料８１３、及び販売利益８１５を算出して表示させる。なお、販売手数料８１３は、ユーザＡに指定された価格に対する所定割合（例えば、１０％）の額でもよい。また、販売利益８１５は、ユーザＡに指定された価格８１２から、販売手数料８１３、及びリースの立て替え額８１４を減算した値でもよい。これにより、ユーザＡに、当該商品の販売により、販売手数料、及びリースの立て替え額が減算された額がユーザＡの残高に入金されることを知らせることができる。
【０１０１】
端末１２０Ａは、例えば、図８Ｂの「出品する」ボタン８１６の押下操作を受け付けると、ステップＳ２７の処理に進む。続いて、端末１２０Ａの送受信部３２２は、出品要求をサーバ１１０に送信する（ステップＳ２７）。ここで、出品要求には、ユーザＡに出品を指定された商品に対する立て替えＩＤが含まれていてもよい。
【０１０２】
続いて、サーバ１１０の制御部３１３は、ユーザＡに出品を指定された商品を出品する（ステップＳ２８）。ここで、サーバ１１０の制御部３１３は、受信した出品要求に対応付けて商品ＩＤを生成し、図５Ｂの売買情報記憶部３１５２において、生成した商品ＩＤに対応付けて当該商品の出品の情報を記憶する。また、サーバ１１０の制御部３１３は、図５Ｃの立て替え情報記憶部３１５３において、出品要求に含まれる立て替えＩＤに対応付けられた商品ＩＤに、生成した商品ＩＤを記憶させる。これにより、商品ＩＤを用いて、図５Ｂの売買情報記憶部３１５２に記憶される出品の情報と、図５Ｃの立て替え情報記憶部３１５３に記憶される立て替え情報とを対応付けることができる。
【０１０３】
なお、サーバ１１０の制御部３１３は、ユーザＡによりリースサービスを利用して購入された商品がリース期限内に出品された場合、図５Ｃの立て替え情報記憶部３１５３を参照し、ユーザＡに出品を指定された商品の立て替え額を取得する。そして、ユーザＡに指定された販売利益８１５が、立て替え額以上であるか否か判定し、立て替え額以上である場合は当該商品を出品し、立て替え額以上でない場合は指定された価格による販売利益が立て替え額以上でない旨を示す警告のメッセージを端末１２０Ａに送信してもよい。そして、端末１２０ＡにおいてユーザＡの承認操作がされた場合、当該商品を出品する。これにより、例えば、ユーザＡが指定した価格が安いため、ユーザＡに立て替えた額の不足分をユーザＡが追加で支払う事態が発生する可能性を低減できる。
【０１０４】
続いて、端末１２０Ｂの送受信部３２２は、当該商品の情報の取得要求をサーバ１１０に送信する（ステップＳ２９）。ここで、端末１２０Ｂの制御部３２３は、例えば、ユーザＢの操作に応答して、サーバ１１０により提供される取引サービスで出品されている商品の一覧を表示させ、一覧から商品を選択する操作をユーザＢから受け付けると、当該商品の情報の取得要求を送受信部３２２によりサーバ１１０に送信する。なお、当該取得要求には、当該商品の商品ＩＤの情報が含まれてもよい。
【０１０５】
続いて、サーバ１１０の制御部３１３は、図５Ｂの売買情報記憶部３１５２を参照し、受信した取得要求に含まれる商品ＩＤに対応付けられた商品名等の情報を取得する（ステップＳ３０）。続いて、サーバ１１０の送受信部３１２は、取得した商品名等の情報を端末１２０Ｂに返信する（ステップＳ３１）。
【０１０６】
続いて、端末１２０Ｂの表示制御部３２４は、当該商品を購入するための画面を表示させる（ステップＳ３２）。ここで、端末１２０Ｂの表示制御部３２４は、サーバ１１０から取得した情報に基づき、図８Ｃの購入画面８２１を表示させる。端末１２０Ｂの表示制御部３２４は、図８Ｃの例では、商品の画像８０２Ａ、商品名８０３、商品説明８０４Ａ、カテゴリー８０５、及びブランド８０６、価格８１２等を表示させている。また、端末１２０Ｂの表示制御部３２４は、図８Ｃの例では、サーバ１１０により提供されるリースサービスを用いて購入された商品であることを示すオブジェクト（マーク、アイコン、イラスト、画像）８２２を表示させている。これにより、ユーザＢは、オブジェクト８２２が付加された商品は、サーバ１１０により提供されるリースサービスを用いて新品で購入され、購入されてから所定期間内に販売される商品であることを知ることができる。そのため、例えば、複数の消費者に使用された中古のさらに中古の商品、または購入されてから比較的長期間が経過して劣化した商品を購入したくないユーザは、オブジェクト８２２が付加された商品を購入すればよい。そのため、オブジェクト８２２が付加された商品は比較的高い価格で販売される可能性を高めることができる。
【０１０７】
なお、端末１２０Ｂの表示制御部３２４は、図８Ｃの購入画面８２１がスワイプ操作された場合、背景の表示画面は上下方向に移動して表示させるものの、オブジェクト８２２の表示位置はスワイプ操作されても移動させず、固定させて表示させてもよい。これにより、例えば、不正なユーザにより、当該オブジェクトを合成された商品の画像を用いて出品された場合に、商品の購入を検討するユーザは、不正な合成画像であると判断することができる。なお、端末１２０Ｂの表示制御部３２４は、図６Ｄのような商品一覧の表示画面においても、サーバ１１０から取得した情報に基づいて、商品の画像８０２Ａに対応付けてオブジェクト８２２を表示させてもよい。
【０１０８】
続いて、端末１２０Ｂの受付部３２１は、当該商品の購入操作をユーザＢから受け付ける（ステップＳ３３）。ここで、端末１２０Ｂの受付部３２１は、図８Ｃの「購入手続きへ」ボタン８２７の押下操作をユーザＢから受け付ける。
【０１０９】
続いて、端末１２０Ｂの送受信部３２２は、当該商品の購入要求をサーバ１１０に送信する（ステップＳ３４）。なお、当該購入要求には、当該商品の商品ＩＤの情報が含まれてもよい。
【０１１０】
続いて、サーバ１１０の送受信部３１２は、当該商品の購入通知を端末１２０Ａに送信する（ステップＳ３５）。なお、サーバ１１０の制御部３１３は、ここで、図５Ｂの売買情報記憶部３１５２において、当該商品の取引状態を「出品中」から「取引中」に変更し、当該商品の購入者のユーザＩＤに、ユーザＢのユーザＩＤを記憶する。
【０１１１】
続いて、端末１２０Ａの表示制御部３２４は、当該商品の購入通知を表示する（ステップＳ３６）。そして、ユーザＡは、宅配便等を用いて、当該商品を発送する。そして、当該商品が、ユーザＢに配送される。
【０１１２】
続いて、端末１２０Ｂの受付部３２１は、到着確認の操作をユーザＢから受け付ける（ステップＳ３７）。続いて、端末１２０Ｂの送受信部３２２は、商品ＩＤを含む到着確認通知をサーバ１１０に送信する（ステップＳ３８）。
【０１１３】
続いて、サーバ１１０の制御部３１３は、ユーザＢの残高から、商品の代金を減額する（ステップＳ３９）。ここで、サーバ１１０の制御部３１３は、図５Ｂの売買情報記憶部３１５２を参照し、当該商品の購入者であるユーザＢのユーザＩＤ、及び価格を取得する。そして、ユーザ情報記憶部３１５４において、ユーザＢの残高から当該価格を減算する。また、サーバ１１０の制御部３１３は、ここで、図５Ｂの売買情報記憶部３１５２において、当該商品の取引状態を「取引中」から「取引完了」に変更する。
【０１１４】
続いて、サーバ１１０の制御部３１３は、当該商品に対する立て替え額、及び販売手数料を徴収する（ステップＳ４０）。ここで、サーバ１１０の制御部３１３は、図５Ｃの立て替え情報記憶部３１５３を参照し、当該商品の立て替え額を取得し、取得した替え額を回収する。
【０１１５】
続いて、サーバ１１０の制御部３１３は、ユーザ情報記憶部３１５４において、サーバ１１０により提供される取引サービスを用いて販売された商品の代金から、立て替え額、及び販売手数料を減算した金額を、ユーザＡの残高に加算する（ステップＳ４１）。サーバ１１０の制御部３１３は、例えば、代金が５０００円であり、立て替え額が３０００円であり、販売手数料が５００円である場合、１５００（＝５０００−３０００−５００）円をユーザＡの残高に入金（加算）する。また、サーバ１１０の制御部３１３は、例えば、代金が２０００円であり、販売手数料が２００円であり、立て替え額が３０００円である場合、差し引き後の額（残額）は−１２００（＝２０００−３０００−２００）円でありマイナスの値であるため、１２００円をユーザＡの残高等から徴収（減算）する。この場合、サーバ１１０の制御部３１３は、例えば、ユーザ情報記憶部３１５４に記憶されているユーザＡの銀行口座、ユーザ情報記憶部３１５４に記憶されているユーザＡの残高、及び後払いサービスにおけるユーザＡの残高から徴収してもよい。なお、当該後払いサービスは、例えば、サーバ１１０により提供される決済サービスでの後払いサービスであり、例えば、サーバ１１０により提供される取引サービスで商品を購入した代金等とまとめて、翌月末まで等の所定期間内に一括して支払うことができるサービスでもよい。これにより、ユーザは、立て替え額を支払えないような安い価格で商品を販売した場合でも、当該商品の代金以外から立て替え額の残額を支払うことができる。
【０１１６】
なお、サーバ１１０の制御部３１３は、例えば、ユーザＡの銀行口座の預金残高、ユーザＡの取引サービスの残高、及び後払いサービスにおけるユーザＡの残高等の各徴収元残高のそれぞれに設定された優先度に基づいて、マイナスの値となった残額分に達するまで、順に減額してもよい。この場合、優先度が最も高い第１徴収元残高が残額未満の場合、第１徴収元残高の全額を徴収し、優先度が次に高い第２徴収元残高から、当該残額と第１徴収元残高から徴収した額の差額を徴収する。そして、第２徴収元残高が当該差額未満の場合、第２徴収元残高の全額を徴収し、優先度が次に高い第３徴収元残高から、当該差額と第２徴収元残高から徴収した額の差額を徴収する。この場合、例えば、ユーザＡに対して、銀行口座の優先度が１（高）、取引サービスの残高の優先度が２（中）、及び後払いサービスにおける残高の優先度が３（低）であるとする。そして、差額が−１２００円、銀行口座の預金残高が１０００円、ユーザＡの残高が０円、及び後払いサービスにおけるユーザＡの残高が１万円である場合、優先度が高い順に、銀行口座の預金残高から１０００円、後払いサービスにおけるユーザＡの残高から２００円を徴収してもよい。なお、サーバ１１０の制御部３１３は、ユーザＡの設定操作に基づいて各残高に対する優先度を設定してもよい。または、サーバ１１０の制御部３１３は、所定期間におけるユーザＡに対する差額の回収率に基づいて各残高に対する優先度を決定してもよい。または、サーバ１１０の制御部３１３は、ユーザの属性毎の差額の回収率に基づいて各残高に対する優先度を決定してもよい。また、サーバ１１０の制御部３１３は、ユーザＡに複数の銀行口座が対応付けられている場合、銀行口座ごとに決定した優先度に応じた順番で各銀行口座の預金残高から減額してもよい。なお、サーバ１１０の制御部３１３が優先度を高く決定する銀行口座は、他の銀行口座と比較して残高の多い銀行口座であってもよいし、直近でユーザＡに使用された銀行口座であってもよいし、直近で取引サービスでの売上が振り込まれた銀行口座であってもよい。
【０１１７】
なお、サーバ１１０の制御部３１３は、ユーザＡによりリースサービスを用いて購入された商品がリース期限内にサーバ１１０が提供する取引サービスで出品または販売されない場合、ユーザＡから、当該商品に対する立て替え額に加え、所定の手数料を徴収してもよい。この場合、サーバ１１０の制御部３１３は、立て替え額及びリース期限に対する所定の年利（例えば、年５％）を手数料と決定してもよい。または、所定額（例えば、５００円）を手数料と決定してもよい。そして、サーバ１１０の制御部３１３は、上述した商品の代金から販売手数料と立て替え額とを減算した差額がマイナスの値である場合と同様に、ユーザＡの残高等から徴収してもよい。これにより、例えば、ユーザＡが、商品を気に入った等の理由で買い取りたい場合、商品を紛失するまた傷つける等により商品を出品できない場合、または、ユーザが出品を失念した場合等は、ユーザは手数料を支払えば出品しないこともできる。
【０１１８】
なお、サーバ１１０の送受信部３１２は、リースサービスを用いて購入された商品が、取引サービスを用いて販売された際に、当該商品を販売した店舗の事業者に、当該商品が取引サービスを用いて販売されたことを示す通知を送信してもよい。また、サーバ１１０の送受信部３１２は、リースサービスを用いて購入された商品が、取引サービスを用いて販売された際に、当該商品を販売した店舗で利用可能な電子クーポンを端末１２０Ａに送信してもよい。これにより、例えば、当該商品を販売して、手持ちの商品が少なくなったユーザＡに、当該店舗での他の商品の購入を促すことができる。
【０１１９】
また、サーバ１１０の送受信部３１２は、リースサービスを用いて購入された商品が、取引サービスを用いて販売された際に、当該商品を販売した店舗で販売している、当該商品に関連する商品の広告を端末１２０Ａに送信してもよい。これにより、例えば、当該商品を販売して、手持ちの商品が少なくなったユーザＡに、当該店舗での関連商品の購入を促すことができる。
【０１２０】
以下で、実施形態における処理の一例について説明する。以下の各実施例の処理は、他の実施例の処理と組み合わせて実行させることもできる。
【０１２１】
＜＜第１実施例＞＞
第１実施例は、ユーザＡの個人情報、及びサーバ１１０により提供される各種サービスの利用履歴の少なくとも一つに応じたユーザＡの信用度と、立て替え額を徴収する期限と、店舗で商品を購入する際の代金の所定割合の金額等との少なくとも一つに基づいて、前記立て替え額を決定する実施例である。第１実施例により、例えば、立て替え額を適切に決定できる。
【０１２２】
＜＜第１実施例の処理＞＞
図４のステップＳ３において、サーバ１１０の制御部３１３は、例えば、以下のように立て替え額を決定してもよい。
【０１２３】
サーバ１１０の制御部３１３は、例えば、店舗で商品を購入する際の代金の所定割合（例えば、３０％）の金額等を、立て替え額として決定してもよい。この場合、サーバ１１０の制御部３１３は、例えば、代金が１万円の場合、代金の３０％である３千円を立て替え額としてもよい。この場合、サーバ１１０の制御部３１３は、売買情報記憶部３１５２を参照し、ユーザＡに指定された商品と同一、またはユーザＡに指定された商品との類似度が所定の閾値以上の商品が購入者により購入された価格の代表値を算出し、当該代表値を販売可能額と推定してもよい。なお、サーバ１１０の制御部３１３は、代表値として、例えば、平均値、中央値、または最繁値を用いてもよい。そして、サーバ１１０の制御部３１３は、推定した販売可能額と、決定した立て替え額との差が所定の閾値以上である場合、立て替えを拒否し、端末１２０Ａに立て替え拒否応答を送信してもよい。
【０１２４】
また、サーバ１１０の制御部３１３は、例えば、リース期限に基づいて、立て替え額として決定してもよい。この場合、サーバ１１０の制御部３１３は、例えば、リース期限が長い程、立て替え額を低く決定してもよい。この場合、例えば、リース期限が３か月の場合は代金の３０％、リース期限が６か月の場合は代金の２０％を立て替え額として決定してもよい。これは、商品が購入されてからの期間が短い程、商品の状態は良い可能性が高く、商品の状態が悪い場合よりも高値で取引される可能性が高いと考えられるためである。
【０１２５】
また、サーバ１１０の制御部３１３は、ユーザＡの個人情報に基づいてユーザＡの信用度を決定し、決定した信用度が高い程、立て替え額を高く決定してもよい。この場合、サーバ１１０の制御部３１３は、例えば、年収、職業等に基づいて、ユーザＡの信用度を決定してもよい。この場合、サーバ１１０の制御部３１３は、例えば、職業が会社員、公務員等の場合は、無職等の場合よりも信用度を高く決定してもよい。
【０１２６】
また、サーバ１１０の制御部３１３は、サーバ１１０により提供される各種サービスの利用履歴に基づいてユーザＡの信用度を決定し、決定した信用度が高い程、立て替え額を高く決定してもよい。この場合、サーバ１１０の制御部３１３は、例えば、リースサービスでの立て替え額の支払いが完了した頻度が高い程、また、支払いが完了した立て替え額の総額が大きい程、ユーザＡの信用度を高く決定してもよい。
【０１２７】
また、この場合、サーバ１１０の制御部３１３は、例えば、取引サービスでの販売履歴に基づいて、ユーザＡの信用度を決定してもよい。この場合、ユーザＡが取引サービスで販売した各商品の価格（取引サービスでの販売価格）が、当該各商品とそれぞれ同一の商品の取引サービスで販売された価格の代表値よりも高い程、ユーザＡの信用度を高く決定してもよい。これにより、リースサービスを利用して店舗で購入した商品を、取引サービスを用いて比較的高値で販売できるユーザに対して、立て替え額を高く設定することができる。
【０１２８】
また、サーバ１１０の制御部３１３は、例えば、上述した各方式で算出した各立て替え額に基づいて、立て替え額を決定してもよい。この場合、サーバ１１０の制御部３１３は、例えば、上述した各方式で算出した各立て替え額の代表値を、立て替え額として決定してもよい。なお、サーバ１１０の制御部３１３は、代表値として、例えば、平均値、中央値、または最繁値を用いてもよい。
【０１２９】
以上の説明に関し、更に以下の項を開示する。
（付記１）
情報処理装置が、
第１ユーザが店舗で入手する第１商品の第１代金の情報を受信する処理と、
前記第１代金の少なくとも一部である立て替え額を前記第１ユーザに立て替えて前記店舗の事業者に支払う処理と、
前記第１ユーザにより前記第１商品が取引サービスで販売された第２代金から前記立て替え額を徴収する処理と、を実行する情報処理方法。
（付記２）
前記支払う処理は、
前記第１代金から前記立て替え額を減算した金額を前記第１ユーザの残高から減額し、前記第１代金を前記店舗の事業者に支払う、付記１に記載の情報処理方法。
（付記３）
前記徴収する処理は、
前記第２代金から前記立て替え額を減算した額を前記第１ユーザの残高に加算する、付記１または２に記載の情報処理方法。
（付記４）
前記第１ユーザの個人情報、及び前記情報処理装置により提供されるサービスの利用履歴の少なくとも一つに応じた前記第１ユーザの信用度と、前記第２代金から前記立て替え額を徴収する期限と、前記第１代金の所定割合の金額との少なくとも一つに基づいて、前記立て替え額を決定する処理を実行する、付記１から３のいずれか一項に記載の情報処理方法。
（付記５）
前記立て替え額と、前記取引サービスにおいて前記第１商品と同一または類似度が所定の閾値以上の第２商品が取引された価格に基づいて推定された前記第１商品の販売可能額との差が所定の閾値以上である場合、及び、前記第１商品の種別が所定の種別である場合の少なくとも一方の場合に、前記立て替え額の立て替えを拒否する処理と、を実行する、付記１から４のいずれか一項に記載の情報処理方法。
（付記６）
前記取引サービスにおいて前記第１商品と同一または類似度が所定の閾値以上の第２商品が取引された価格に基づいて、前記立て替え額を決定する処理を実行する、付記１から５のいずれか一項に記載の情報処理方法。
（付記７）
前記第１ユーザに対応付けられた第１情報処理端末から、前記第１商品の情報を受信した場合、前記立て替え額の情報を前記第１情報処理端末に送信する処理を実行する、付記１から６のいずれか一項に記載の情報処理方法。
（付記８）
前記第１商品の情報は、前記第１商品のバーコードから読み取られた商品コードである、付記７に記載の情報処理方法。
（付記９）
前記送信する処理は、
前記店舗の第２情報処理端末に読み取らせるコードであって、前記立て替え額に関連付けられたコードを表示させる情報を前記第１情報処理端末に送信する、付記７または８のいずれか一項に記載の情報処理方法。
（付記１０）
前記送信する処理は、
前記取引サービスにおいて、前記第１商品との類似度が所定の閾値以上である各商品が販売された各価格の代表値、及び当該各価格の少なくとも一方を表示させる情報を前記第１情報処理端末に送信する、付記７から９のいずれか一項に記載の情報処理方法。
（付記１１）
前記第１ユーザが前記店舗で前記第１商品を入手した場合、前記第１ユーザと、前記店舗の事業者から取得した前記第１商品の画像、ブランド、説明文、色、及びサイズの少なくとも一つを含む商品情報とを関連付けて記憶する処理と、
前記第１ユーザにより前記第１商品が前記取引サービスで出品される場合、前記第１ユーザに関連付けられた前記商品情報を用いて出品させる処理と、を実行する、付記１から１０のいずれか一項に記載の情報処理方法。
（付記１２）
前記第１ユーザにより前記第１商品が前記取引サービスで出品される場合、前記第１商品に対応付けて、立て替えサービスを利用して購入されたことを示す所定のオブジェクトを表示させる情報を、第２ユーザに対応付けられた第３情報処理端末に送信する処理を実行する、付記１から１１のいずれか一項に記載の情報処理方法。
（付記１３）
第１ユーザが店舗で入手する第１商品の第１代金の情報を受信する受信部と、
前記第１代金の少なくとも一部である立て替え額を前記第１ユーザに立て替えて前記店舗の事業者に支払う処理と、
前記第１ユーザにより前記第１商品が取引サービスで販売された第２代金から前記立て替え額を徴収する処理と、を実行する制御部と、を有する情報処理装置。
（付記１４）
情報処理装置に、
第１ユーザが店舗で入手する第１商品の第１代金の情報を受信する処理と、
前記第１代金の少なくとも一部である立て替え額を前記第１ユーザに立て替えて前記店舗の事業者に支払う処理と、
前記第１ユーザにより前記第１商品が取引サービスで販売された第２代金から前記立て替え額を徴収する処理と、を実行するプログラム。
（付記１５）
情報処理端末に、
第１ユーザが店舗で入手する第１商品に対応付けられた識別情報を取得する処理と、
前記第１商品の第１代金の情報を表示する処理と、
前記第１ユーザ以外が支払う金額であって、前記第１代金の少なくとも一部である立て替え額を表示する処理と、
前記第１ユーザの操作に応答して、前記第１商品を取引サービスで取引するため第２代金から前記立て替え額を減算した金額を表示する処理と、を実行させるプログラム。
（付記１６）
第１ユーザが店舗で入手する第１商品に対応付けられた識別情報を取得する取得部と、
前記第１商品の第１代金の情報を表示する処理と、
前記第１ユーザ以外が支払う金額であって、前記第１代金の少なくとも一部である立て替え額を表示する処理と、
前記第１ユーザの操作に応答して、前記第１商品を取引サービスで取引するため第２代金から前記立て替え額を減算した金額を表示する処理と、を実行する表示制御部を有する情報処理端末。
（付記１７）
情報処理端末が、
第１ユーザが店舗で入手する第１商品に対応付けられた識別情報を取得する処理と、
前記第１商品の第１代金の情報を表示する処理と、
前記第１ユーザ以外が支払う金額であって、前記第１代金の少なくとも一部である立て替え額を表示する処理と、
前記第１ユーザの操作に応答して、前記第１商品を取引サービスで取引するため第２代金から前記立て替え額を減算した金額を表示する処理と、を実行する情報処理方法。
（付記１８）
情報処理装置が、
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、を実行する情報処理方法。
（付記１９）
前記徴収する処理は、
前記商品が前記所定の期限内に取引サービスで販売された金額である第２代金から前記立て替え額の少なくとも一部を徴収する、付記１８に記載の情報処理方法。
（付記２０）
前記第１ユーザにより前記商品が前記所定の期限内に前記取引サービスで出品される場合に指定された前記商品の販売利益が前記立て替え額以上でない場合、指定された前記商品の価格による販売利益が前記立て替え額以上でない旨を示すメッセージを前記第１ユーザに対応付けられた第１情報処理端末に送信する処理を実行する、付記１８に記載の情報処理方法。
（付記２１）
前記徴収する処理は、
前記第１ユーザにより前記商品が前記所定の期限内に前記取引サービスで出品または販売されない場合、所定の手数料を徴収する、付記１９または２０に記載の情報処理方法。
（付記２２）
前記徴収する処理は、
前記第２代金から前記立て替え額の少なくとも一部である残額を徴収できない場合、前記第２代金以外から前記残額を徴収する、付記１９から２１のいずれか一項に記載の情報処理方法。
（付記２３）
前記徴収する処理は、
前記第１ユーザの銀行口座の預金残高、前記取引サービスにおける前記第１ユーザの残高、及び後払いサービスにおける前記第１ユーザの残高の少なくとも一つから前記残額を徴収する、付記２２に記載の情報処理方法。
（付記２４）
前記徴収する処理は、
所定の優先度に基づいて、前記第１ユーザの銀行口座の預金残高、前記取引サービスにおける前記第１ユーザの残高、または、前記後払いサービスにおける前記第１ユーザの残高から前記残額を徴収する、付記２３に記載の情報処理方法。
（付記２５）
前記徴収する処理は、
前記第１ユーザの銀行口座の預金残高、前記取引サービスにおける前記第１ユーザの残高、及び前記後払いサービスにおける前記第１ユーザの残高のうち、優先度が最も高い第１残高が前記残額未満の場合、前記第１残高の全額を徴収し、優先度が次に高い第２残高から、前記残額と前記第１残高から徴収した額の差額を徴収する、付記２４に記載の情報処理方法。
（付記２６）
前記第１ユーザの信用度に基づいて前記立て替え額を決定する処理を実行する、付記１８から２５のいずれか一項に記載の情報処理方法。
（付記２７）
第１ユーザが店舗で購入する商品の第１代金の少なくとも一部であって、前記店舗の事業者に支払われた立て替え額を、前記第１ユーザに関連付けて記憶部に記憶させる処理と、
前記第１ユーザが前記商品を購入してから所定の期限が経過した場合、前記立て替え額の少なくとも一部を前記第１ユーザから徴収する処理と、を実行する制御部を有する、情報処理装置。
（付記２８）
情報処理装置に、
第１ユーザが店舗で購入する商品の第１代金の少なくとも一部であって、前記店舗の事業者に支払われた立て替え額を、前記第１ユーザに関連付けて記憶する処理と、
前記第１ユーザが前記商品を購入してから所定の期限が経過した場合、前記立て替え額の少なくとも一部を前記第１ユーザから徴収する処理と、を実行させるプログラム。
【符号の説明】
【０１３０】
１００  通信システム
１１０  サーバ
３１１  受付部
３１２  送受信部
３１３  制御部
３１４  表示制御部
３１５  記憶部
３１５１  商品情報記憶部
３１５２  売買情報記憶部
３１５３  立て替え情報記憶部
３１５４  ユーザ情報記憶部
１２０  端末
３２１  受付部
３２２  送受信部
３２３  制御部
３２４  表示制御部
３２５  記憶部
【図１】
2020087170.tif 000003
【図２】
2020087170.tif 000004
【図３】
2020087170.tif 000005
【図４】
2020087170.tif 000006
【図５Ａ】
2020087170.tif 000007
【図５Ｂ】
2020087170.tif 000008
【図５Ｃ】
2020087170.tif 000009
【図５Ｄ】
2020087170.tif 000010
【図６Ａ】
2020087170.tif 000011
【図６Ｂ】
2020087170.tif 000012
【図６Ｃ】
2020087170.tif 000013
【図６Ｄ】
2020087170.tif 000014
【図６Ｅ】
2020087170.tif 000015
【図７Ａ】
2020087170.tif 000016
【図７Ｂ】
2020087170.tif 000017
【図８Ａ】
2020087170.tif 000018
【図８Ｂ】
2020087170.tif 000019
【図８Ｃ】
2020087170.tif 000020
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
情報処理装置が、
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、
前記第１ユーザにより前記商品が前記所定の期限内に取引サービスで出品される場合であって、前記第１ユーザにより指定される前記商品の販売利益が前記立て替え額以上である場合、前記商品を前記取引サービスで出品し、
前記第１ユーザにより前記商品が前記所定の期限内に前記取引サービスで出品される場合であって、前記第１ユーザにより指定される前記販売利益が前記立て替え額未満の場合、前記商品の販売利益が前記立て替え額に満たない旨を示すメッセージを前記第１ユーザに対応付けられた第１情報処理端末に送信する処理と、を実行する情報処理方法。
【請求項２】
情報処理装置が、
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、を実行し、
前記徴収する処理では、
前記第１ユーザにより前記商品が前記所定の期限内に取引サービスで出品または販売されない場合、前記立て替え額及び前記所定の期限に応じた利息または所定額を前記第１ユーザから徴収する情報処理方法。
【請求項３】
情報処理装置が、
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、を実行し、
前記徴収する処理では、
前記商品が前記所定の期限内に取引サービスで販売された金額である第２代金から前記立て替え額の少なくとも一部である残額を徴収できない場合であって、前記第１ユーザの銀行口座の預金残高、取引サービスにおける前記第１ユーザの残高、及び後払いサービスにおける前記第１ユーザの残高のうち、優先度が最も高い第１残高が前記残額未満の場合、前記第１残高の全額を徴収し、優先度が次に高い第２残高から、前記残額と前記第１残高から徴収した額の差額を徴収する情報処理方法。
【請求項４】
前記第１ユーザの信用度に基づいて前記立て替え額を決定する処理を実行する、請求項１から３のいずれか一項に記載の情報処理方法。
【請求項５】
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、
前記第１ユーザにより前記商品が前記所定の期限内に取引サービスで出品される場合であって、前記第１ユーザにより指定される前記商品の販売利益が前記立て替え額以上である場合、前記商品を前記取引サービスで出品し、
前記第１ユーザにより前記商品が前記所定の期限内に前記取引サービスで出品される場合であって、前記第１ユーザにより指定される前記販売利益が前記立て替え額未満の場合、前記商品の販売利益が前記立て替え額に満たない旨を示すメッセージを前記第１ユーザに対応付けられた第１情報処理端末に送信する処理と、を実行する制御部を有する、情報処理装置。
【請求項６】
第１ユーザが店舗で入手する商品の第１代金の少なくとも一部であって、前記店舗の事業者に支払われた立て替え額を、前記第１ユーザに関連付けて記憶部に記憶させる処理と、
前記第１ユーザが前記商品を入手してから所定の期限が経過した場合に、前記立て替え額の少なくとも一部を前記第１ユーザから徴収する処理と、を実行し、
前記徴収する処理では、
前記第１ユーザにより前記商品が前記所定の期限内に取引サービスで出品または販売されない場合、前記立て替え額及び前記所定の期限に応じた利息または所定額を前記第１ユーザから徴収する制御部を有する、情報処理装置。
【請求項７】
情報処理装置が、
第１ユーザが店舗で入手する商品の第１代金の少なくとも一部であって、前記店舗の事業者に支払われた立て替え額を、前記第１ユーザに関連付けて記憶部に記憶させる処理と、
前記第１ユーザが前記商品を入手してから所定の期限が経過した場合に、前記立て替え額の少なくとも一部を前記第１ユーザから徴収する処理と、を実行し、
前記商品が前記所定の期限内に取引サービスで販売された金額である第２代金から前記立て替え額の少なくとも一部である残額を徴収できない場合であって、前記第１ユーザの銀行口座の預金残高、取引サービスにおける前記第１ユーザの残高、及び後払いサービスにおける前記第１ユーザの残高のうち、優先度が最も高い第１残高が前記残額未満の場合、前記第１残高の全額を徴収し、優先度が次に高い第２残高から、前記残額と前記第１残高から徴収した額の差額を徴収する制御部を有する、情報処理装置。
【請求項８】
情報処理装置に、
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、
前記第１ユーザにより前記商品が前記所定の期限内に取引サービスで出品される場合であって、前記第１ユーザにより指定される前記商品の販売利益が前記立て替え額以上である場合、前記商品を前記取引サービスで出品し、
前記第１ユーザにより前記商品が前記所定の期限内に前記取引サービスで出品される場合であって、前記第１ユーザにより指定される前記販売利益が前記立て替え額未満の場合、前記商品の販売利益が前記立て替え額に満たない旨を示すメッセージを前記第１ユーザに対応付けられた第１情報処理端末に送信する処理と、を実行させるプログラム。
【請求項９】
情報処理装置に、
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、を実行させ、
前記徴収する処理では、
前記第１ユーザにより前記商品が前記所定の期限内に取引サービスで出品または販売されない場合、前記立て替え額及び前記所定の期限に応じた利息または所定額を前記第１ユーザから徴収する、プログラム。
【請求項１０】
情報処理装置に、
第１ユーザが店舗で入手する商品の第１代金の少なくとも一部であって、前記店舗の事業者に支払われた立て替え額を、前記第１ユーザに関連付けて記憶する処理と、
前記第１ユーザが前記商品を入手してから所定の期限が経過した場合に、前記立て替え額の少なくとも一部を前記第１ユーザから徴収する処理と、を実行させ、
前記徴収する処理では、
前記商品が前記所定の期限内に取引サービスで販売された金額である第２代金から前記立て替え額の少なくとも一部である残額を徴収できない場合であって、前記第１ユーザの銀行口座の預金残高、取引サービスにおける前記第１ユーザの残高、及び後払いサービスにおける前記第１ユーザの残高のうち、優先度が最も高い第１残高が前記残額未満の場合、前記第１残高の全額を徴収し、優先度が次に高い第２残高から、前記残額と前記第１残高から徴収した額の差額を徴収する、プログラム。
【手続補正２】
【補正対象書類名】明細書
【補正対象項目名】０００５
【補正方法】変更
【補正の内容】
【０００５】
本開示の一実施形態に係る情報処理装置は、第１ユーザが店舗で入手する商品の第１代金の少なくとも一部であって、前記店舗の事業者に支払われた立て替え額を、前記第１ユーザに関連付けて記憶する処理と、前記第１ユーザが前記商品を入手してから所定の期限が経過した場合に、前記立て替え額の少なくとも一部を前記第１ユーザから徴収する処理と、前記第１ユーザにより前記商品が前記所定の期限内に取引サービスで出品される場合であって、前記第１ユーザにより指定される前記商品の販売利益が前記立て替え額以上である場合、前記商品を前記取引サービスで出品し、前記第１ユーザにより前記商品が前記所定の期限内に前記取引サービスで出品される場合であって、前記第１ユーザにより指定される前記販売利益が前記立て替え額未満の場合、前記商品の販売利益が前記立て替え額に満たない旨を示すメッセージを前記第１ユーザに対応付けられた第１情報処理端末に送信する処理と、を実行する。